(57)【要約】【課題】水道水圧に影響されず、安定したすすぎ性能と、使用水量低減とを確保すること。【解決手段】制御装置２５は、洗濯行程開始時に検知した衣類量に応じた複数段の水位を設定するとともに、すすぎ行程において排水弁８を閉止状態にして洗濯兼脱水槽１８内の水位がパルセータ６外周近傍の低い所定水位に到達した時点で、洗濯兼脱水槽１８を回転駆動させて外槽２０下部からすすぎ液を、送水部２３を介して上部カバー吐出口２９より洗濯兼脱水槽１８内に循環水流を散水させるとともに、検知した衣類量が多い場合は洗濯兼脱水槽１８の略中心部に散水させ、検知した衣類量が少ない場合は洗濯兼脱水槽１８の略側壁近傍に散水させるように制御したことにより、水道水圧の影響なく所定水量で希釈し、衣類量に応じた循環すすぎ液の吐出にて安定したすすぎ性能を確保することができる。【選択図】図１
2010166992.tif 000002
【特許請求の範囲】
【請求項１】
衣類撹拌用パルセータを駆動するモータと、前記パルセータを内底部に回転自在に配設した洗濯兼脱水槽と、前記洗濯兼脱水槽を内包する外槽と、前記外槽の上部に固着した上部カバーと、前記外槽の外底部に設けられ前記パルセータと前記洗濯兼脱水槽との回転を選択的に切り換えるクラッチ機構を有する駆動機構手段と、前記外槽の底部に設けた排水口と、前記排水口を開閉する排水弁と、前記洗濯兼脱水槽内への給水を制御する給水弁と、前記洗濯兼脱水槽内の水位を検知する水位検知装置と、前記モータ、駆動機構手段、排水弁、給水弁などの動作を制御し洗濯、すすぎ、脱水の各行程を逐次制御する制御装置とを備え、前記洗濯兼脱水槽は下部外周に複数枚の裏羽根を形成し、前記上部カバーは上部流入口と上部カバー吐出口を有し、前記外槽は底部内周面に下部流入口を設けるとともに前記下部流入口と前記上部流入口とを連通する送水部を設け、制御装置は、洗濯行程開始時に衣類量を検知し、検知した衣類量に応じた複数段の水位を設定するとともに、前記給水弁ならびに前記水位検知装置により前記洗濯兼脱水槽内に設定した水位に対応した所定量を給水するように制御し、すすぎ行程の給水時において、前記排水弁を閉止状態にして前記洗濯兼脱水槽内の水位が前記パルセータ外周近傍の所定水位に到達した時点で、前記給水弁の動作を停止した後、前記洗濯兼脱水槽を回転駆動させて前記外槽下部からすすぎ液を、前記送水部を介して前記上部カバー吐出口より前記洗濯兼脱水槽内の散水させるようにし、前記検知した衣類量が多い場合は前記洗濯兼脱水槽の略中心部に散水させ、前記検知した衣類量が少ない場合は前記洗濯兼脱水槽の略側壁近傍に散水させるように前記洗濯兼脱水槽の回転を制御した洗濯機。
【請求項２】
制御装置は、個別に洗濯水位を設定する信号が入力された場合、給水弁ならびに水位検知装置により洗濯兼脱水槽内に個別に設定した洗濯水位に到達後、予め布量を検知し記憶するよう制御し、すすぎ行程の給水時において、前記排水弁を閉止状態にして前記洗濯兼脱水槽内の水位が前記パルセータ外周近傍の所定水位に到達した時点で、前記給水弁の動作を停止した後、前記洗濯兼脱水槽を回転駆動させて前記外槽下部からすすぎ液を、前記送水部を介して前記上部カバー吐出口より前記洗濯兼脱水槽内の散水させるようにし、前記検知した衣類量が多い場合は前記洗濯兼脱水槽の略中心部に散水させ、前記検知した衣類量が少ない場合は前記洗濯兼脱水槽の略側壁近傍に散水させるように前記洗濯兼脱水槽の回転を制御した請求項１記載の洗濯機。
【発明の詳細な説明】
【技術分野】
【０００１】
本発明は、使用水量を低減し、効率よくすすぐことができる洗濯機に関するものである。
【背景技術】
【０００２】
従来、この種の洗濯機は省資源の為、すすぎ行程において、洗濯兼脱水槽に水を溜めないで上方より衣類にシャワー状に、注水しながら洗濯兼脱水槽を回転させるすすぎ方式を複数回繰り返す制御方式が提案されている（例えば、特許文献１参照）。
【０００３】
図１０は、従来の洗濯機の側断面図、図１１は、同洗濯機の洗い行程、図１２は、すすぎ行程のフローチャートである。
【０００４】
図１０において、筐体１は内部に複数のサスペンション２によって弾性的に吊り下げた外槽３を配し、脱水時の振動をサスペンション２によって吸収する構成としている。外槽３の内部には、洗濯物を収容する洗濯兼脱水槽４を、中空で２重構造とし、内方に洗濯軸５ａを、外方に脱水軸５を中心に回転可能に配設し、洗濯兼脱水槽４の内底部に衣類（洗濯物）を撹拌するパルセータ６を回転自在に配設し、底部には排水口７と排水弁８を設けている。
【０００５】
洗濯兼脱水槽４の内部周壁には水抜き用の小孔４ａを多数設けている。モータ９は、外槽３の外底部に取り付け、ベルト１０を介してクラッチ機構及びブレーキ機構を有する駆動機構部１１に回転を伝達する。
【０００６】
駆動機構部１１内部のクラッチ切り換え装置（図示せず）にて、脱水軸５の制動および制動解除を同時に行い、洗濯時では脱水軸５を制動させ洗濯軸５ａを駆動し衣類撹拌用のパルセータ６を回転駆動させ、脱水時は脱水軸５の制動を解除し排水弁８を開放し洗濯兼脱水槽４を回転駆動させる。
【０００７】
外槽３内の洗濯液またはすすぎ液を排水する場合は、底部の排水口７から排水弁８を介して機外に排出する。水位検知装置１２は、圧力センサー等で形成され、洗濯兼脱水槽４内の水位を検知し、洗濯時には所定水位Ａまで給水するように水位を検知するとともに、外槽３内の洗濯水の排水時、その排水状態を検知する。
【０００８】
また、筐体カバー１４は筐体１の上部を覆うもので、開閉蓋１５を開閉自在に有し、操作表示部を有する制御装置１６を設けるとともに、洗濯兼脱水槽４に給水する水道水の蛇口等に連結した給水弁１７を内部に設けている。
【０００９】
制御装置１６は、マイクロコンピュータ等を具備し、モータ９、クラッチ切り換え装置（図示せず）、給水弁１７、排水弁８を制御するとともに、洗い、すすぎ、脱水の一連の行程を逐次制御するように構成している。
【００１０】
上記構成において、図１１、１４のフローチャートを参照しながら動作を説明する。
【００１１】
洗濯行程（１００）では、排水弁８は閉止状態で、開閉蓋１５を開けて、洗濯兼脱水槽４に衣類（洗濯物）を投入し（１０１）、電源スイッチをＯＮし（１０２）、スタートスイッチをＯＮ（１０３）すると、給水弁１７を開いて（１０４）、所定水位Ａまで給水（１０５，１０６）した後、モータ９を駆動（１０７）し、パルセータ６を回転させて洗濯を行う。
【００１２】
洗濯を所定時間経過するとモータ９をＯＦＦし（１０８、１０９）、洗濯行程を終了する（１１０）。
【００１３】
洗濯行程が終了すると、図１２において、次のすすぎ行程がスタートすると（２００）、排水弁８をＯＮして排水可能に開放する（２０１）と同時に、駆動機構部１１内部のクラッチ切り換え装置（図示せず）を切り換え、脱水軸５の制動を解除して洗濯兼脱水槽４が回転可能な状態にする（２０２）。
【００１４】
排水が終了したことを検知した（２０３）後、モータ９をＯＮした中間脱水行程にて（２０４）、洗濯兼脱水槽４の回転数を７００〜８００ｒ／ｍｉｎのレベルまで立ち上げ、衣類を遠心脱水し、衣類に残存した洗剤成分を洗濯液と同時に衣類より離脱させる。
【００１５】
所定時間経過（２０５）後にモータ９をＯＦＦし（２０６）、洗濯兼脱水槽４の回転を徐々に下げ、駆動機構部１１内部のクラッチ切り換え装置（図示せず）を切り換え、脱水軸５を制動し（２０７）、洗濯兼脱水槽４を一度停止させる。
【００１６】
その後、再び駆動機構部１１内部のクラッチ切り換え装置（図示せず）を切り換え、脱水軸５の制動を解除しつつ脱水軸５を介して洗濯兼脱水槽４が回転可能な状態にする（２０８）とともに、再度モータ９をＯＮ（２０９）とＯＦＦ（２１０）を繰り返す間欠運転にて、洗濯兼脱水槽４を平均３０〜５０ｒ／ｍｉｎの低速回転に所定時間保持させると同時に、給水弁１７を開放（２１１）して、水道水等を洗濯兼脱水槽４内にシャワー状に給水し洗濯兼脱水槽４内壁にへばりついた衣類に均一に注水し、衣類に浸透させつつ衣類に残存している洗剤成分を希釈あるいは離脱させる。
【００１７】
所定時間（２１２）給水した後、給水弁１７をＯＦＦ（２１３）、排水弁８をＯＦＦ（２１４）、駆動機構部１１内部のクラッチ切り換え装置（図示せず）を切り換え、脱水軸５を制動し（２１５）洗濯兼脱水槽４を停止させ、すすぎ行程を終了する（２１６）。
【００１８】
すすぎ行程が終了すると、洗濯兼脱水槽４の回転を７００〜８００ｒ／ｍｉｎレベルまで立ち上げる高速遠心脱水により、衣類に含まれる水分を除去する脱水行程を行い、一連の行程を終了する。
【００１９】
以上のように、上記従来のすすぎ方式では、洗濯衣類にシャワー状に注水しながら洗剤の希釈を行うことにより、できるだけ少ない使用水量ですすぎ効果を得る構成を採用していた。
【特許文献１】特開平８−１１７４７８号公報
【発明の開示】
【発明が解決しようとする課題】
【００２０】
しかしながら、前記従来の構成では、すすぎ行程において、衣類に水道水を注水する場合、すすぎ時間制御を給水弁の所定時間の開閉動作で行う構成が一般的で、水道水圧が低い使用条件下では注水流量が下がり、衣類に注水される水量が必要量供給されず、特に布量が多い時などの場合には、衣類の内部まで水が充分浸透できないまま次行程に移行するため、すすぎムラが発生するという課題があった。
【００２１】
また、衣類が少ない場合、例えばバスタオル数枚の衣類洗濯の場合には、中間脱水行程後の衣類は遠心力で洗濯兼脱水槽の側壁側で薄いドーナツ状に分布するので、洗濯兼脱水槽中心部に衣類は配置されないため、すすぎ行程でシャワーの注水が中央部にのみに注水されると直接衣類に当たらないことがあり、水が充分浸透できないまま次行程に移行するため、すすぎムラが発生するという課題があった。
【００２２】
本発明は、前記従来の課題を解決するもので、水道水圧が低い条件下であっても少ない水量で効率よく安定したすすぎ効果を得ることを目的としている。
【課題を解決するための手段】
【００２３】
前記従来の課題を解決するために、本発明の洗濯機は、衣類撹拌用パルセータを内底部に配設した洗濯兼脱水槽と、前記洗濯兼脱水槽を内包する外槽と、前記外槽の上部に固着した上部カバーと、前記外槽の外底部に設けられ前記パルセータと前記洗濯兼脱水槽との回転を選択的に切り換えるクラッチ機構を有する駆動機構手段と、前記外槽の底部に設けた排水口を開閉する排水弁と、前記洗濯兼脱水槽内への給水を制御する給水弁と、前記洗濯兼脱水槽内の水位を検知する水位検知装置と、前記モータ、駆動機構手段、排水弁、給水弁などの動作を制御し洗濯、すすぎ、脱水の各行程を逐次制御する制御装置とを備え、前記洗濯兼脱水槽は下部外周に複数枚の裏羽根を形成し、前記上部カバーは上部流入口と上部カバー吐出口を有し、前記外槽は底部内周面に下部流入口を設けるとともにこの前記下部流入口と前記上部カバーの前記上部流入口とを連通する送水部を設け、制御装置は、洗濯行程開始時に衣類量を検知し、検知した衣類量に応じた複数段の水位を設定するとともに、前記給水弁ならびに前記水位検知装置により前記洗濯兼脱水槽内に設定した水位に対応した所定量を給水するように制御し、すすぎ行程の給水時において、前記排水弁を閉止状態にして前記洗濯兼脱水槽内の水位が前記パルセータ外周近傍の所定水位に到達した時点で、前記給水弁の動作を停止した後、前記洗濯兼脱水槽を回転駆動させて前記外槽下部からすすぎ液を、前記送水部を介して前記上部カバー吐出口より前記洗濯兼脱水槽内の散水させるようにし、前記検知した衣類量が多い場合は前記洗濯兼脱水槽の略中心部に散水させ、前記検知した衣類量が少ない場合は前記洗濯兼脱水槽の略側壁近傍に散水させるように前記洗濯兼脱水槽の回転を制御したものである。
【００２４】
これによって、水道水圧の高低により衣類に供給される水量が変動することがなく、衣類量が変わっても的確に所定の水量を衣類に散水供給し強制循環させて上部カバー吐出口より洗濯兼脱水槽内の衣類に含まれる洗剤等の除去をすることができるので、希釈効果が高まり安定したすすぎ性能を確保するとともに使用水量を低減することができる。
【発明の効果】
【００２５】
本発明の洗濯機は、水道水圧のばらつきや、衣類の量に影響されず、安定したすすぎ性能を確保し、かつ使用水量を低減することができる。
【発明を実施するための最良の形態】
【００２６】
第１の発明は、衣類撹拌用パルセータを駆動するモータと、前記パルセータを内底部に回転自在に配設した洗濯兼脱水槽と、前記洗濯兼脱水槽を内包する外槽と、前記外槽の上部に固着した上部カバーと、前記外槽の外底部に設けられ前記パルセータと前記洗濯兼脱水槽との回転を選択的に切り換えるクラッチ機構を有する駆動機構手段と、前記外槽の底部に設けた排水口と、前記排水口を開閉する排水弁と、前記洗濯兼脱水槽内への給水を制御する給水弁と、前記洗濯兼脱水槽内の水位を検知する水位検知装置と、前記モータ、駆動機構手段、排水弁、給水弁などの動作を制御し洗濯、すすぎ、脱水の各行程を逐次制御する制御装置とを備え、前記洗濯兼脱水槽は下部外周に複数枚の裏羽根を形成し、前記上部カバーは上部流入口と上部カバー吐出口を有し、前記外槽は底部内周面に下部流入口を設けるとともに前記下部流入口と前記上部流入口とを連通する送水部を設け、制御装置は、洗濯行程開始時に衣類量を検知し、検知した衣類量に応じた複数段の水位を設定するとともに、前記給水弁ならびに前記水位検知装置により前記洗濯兼脱水槽内に設定した水位に対応した所定量を給水するように制御し、すすぎ行程の給水時において、前記排水弁を閉止状態にして前記洗濯兼脱水槽内の水位が前記パルセータ外周近傍の所定水位に到達した時点で、前記給水弁の動作を停止した後、前記洗濯兼脱水槽を回転駆動させて前記外槽下部からすすぎ液を、前記送水部を介して前記上部カバー吐出口より前記洗濯兼脱水槽内の散水させるようにし、前記検知した衣類量が多い場合は前記洗濯兼脱水槽の略中心部に散水させ、前記検知した衣類量が少ない場合は前記洗濯兼脱水槽の略側壁近傍に散水させるように前記洗濯兼脱水槽の回転を制御したことにより、水道水圧の高低により衣類に供給される水量が変動することがなく、洗濯衣類の量に応じて衣類配置が変わっても的確に所定の水量を衣類に散水供給し強制循環させて上部カバー吐出口より洗濯兼脱水槽内の衣類に含まれる洗剤等の除去をすることができるので、希釈効果が高まり安定したすすぎ性能を確保するとともに使用水量を低減することができる。
【００２７】
第２の発明は、特に第１の発明の制御装置は、個別に洗濯水位を設定する信号が入力された場合、給水弁ならびに水位検知装置により洗濯兼脱水槽内に個別に設定した洗濯水位に到達後、予め布量を検知し記憶するよう制御し、すすぎ行程の給水時において、前記排水弁を閉止状態にして前記洗濯兼脱水槽内の水位が前記パルセータ外周近傍の所定水位に到達した時点で、前記給水弁の動作を停止した後、前記洗濯兼脱水槽を回転駆動させて前記外槽下部からすすぎ液を、前記送水部を介して前記上部カバー吐出口より前記洗濯兼脱水槽内の散水させるようにし、前記検知した衣類量が多い場合は前記洗濯兼脱水槽の略中心部に散水させ、前記検知した衣類量が少ない場合は前記洗濯兼脱水槽の略側壁近傍に散水させるように前記洗濯兼脱水槽の回転を制御したことにより、個別に洗濯水量を設定した場合、洗濯衣類の量に応じて衣類配置が変わっても的確に所定の水量を衣類に散水供給し強制循環させるので、すすぎ効果の更なる安定化を図ることができる。
【００２８】
以下、本発明の実施の形態について、図面を参照しながら説明する。なお、従来例と同じ構成のものは同一符号を付して説明を省略する。また、この実施の形態によって本発明が限定されるものではない。
【００２９】
（実施の形態１）
図１は、本発明の第１の実施の形態における洗濯機の衣類量が多い場合の側断面図を示すものである。図２は、同洗濯機の洗い行程のフローチャート、図３は、同洗濯機のすすぎ行程のフローチャートを示す。また、図４は、同洗濯機の衣類量が中量の場合の側断面図、図５は、同洗濯機の衣類量が少量の場合の側断面図を示す。
【００３０】
図１において、洗濯兼脱水槽１８は、内部周壁には小孔１８ａを多数設け、内底部には衣類撹拌用のパルセータ６を回転自在に配するとともに、洗濯行程時には水位を所定水位Ａ１、またはＡ２、またはＡ３にまで注水しパルセータ６の回転で衣類の洗濯を行う。また、洗濯兼脱水槽１８の外底部には下方に放射状にフィン形状の複数の裏羽根１９を形成する。
【００３１】
外槽２０は、洗濯兼脱水槽１８を回転自在に内包するとともに、底部に内部の水の排出用の排水口７および排水弁８と、側壁に内壁２１とを構成する。内壁２１と外槽２０の側壁とで通水が可能な管状の送水部２３を形成するとともに、内壁２１の底部には下部流入口２２を設け、この下部流入口２２から流入した水は、送水部２３を介して上方へ送水可能としている。
【００３２】
外槽２０の上方開口縁には、中央に衣類投入用の開口３０を形成したドーナツ型平板状の上部カバー２６を固着する。
【００３３】
この上部カバー２６の上方には、給水弁１７から洗濯兼脱水槽１８内に注水する水の通水路となる洗濯兼脱水槽１８内に開口した注水部２７を配し、上部カバー２６の上面には洗濯兼脱水槽１８内方を指向する上部カバー吐出口２９を有し、かつ、外槽２０の側壁の構成した送水部２３の上端に対応する位置に水密的に固着する上部流入口２８を設ける。
【００３４】
従って、給水弁１７からの給水は、上部カバー２６上方の注水部２７より上部カバー２６の開口３０より洗濯兼脱水槽１８内部に、また外槽２０の側壁の送水部２３からの通水は、上部流入口２８を介して上部カバー吐出口２９より洗濯兼脱水槽１８内に散水される構成となっている。
【００３５】
上記のような構成で、給水弁１７が動作し外槽２０内部に図１で水位Ｓに示すようにパルセータ６が全て浸からない程度の低い水位の水を溜めた状態で洗濯兼脱水槽１８を回転させると、洗濯兼脱水槽１８の外底部に設けた放射状の複数の裏羽根１９のポンプ作用により水が撹拌され、下部流入口２２より送水部２３に送水されて上部カバー吐出口２９より洗濯兼脱水槽１８内に循環水流として散水される構成である。
【００３６】
制御装置２５は、マイクロコンピュータ等を具備し、洗濯、すすぎ、脱水などの一連の行程を制御するとともに、洗濯行程開始前、すなわち水や洗剤を投入前に洗濯兼脱水槽１８内部に衣類を投入した状態でモータ９を微小時間駆動し、モータ９に流れる電流値等の負荷から衣類量を検知して所定の水位を設定する制御や、モータの回転制御を行う。
【００３７】
表１は、布量検知した衣類量に対する水位と洗濯兼脱水槽の回転数の設定一覧表であり、この表１に示すように、制御装置２５は、衣類量を検知してその布量に適した水位の設定を複数段階、例えば図１のＡ１、Ａ２、Ａ３の３段階の水位と、すすぎ行程における前記循環水流を生じさせる為の洗濯兼脱水槽１８の回転数をＢ１、Ｂ２、Ｂ３に設定されるように制御する。
【００３８】
【表１】
2010166992.tif 000003
【００３９】
洗濯行程スタート時に、自動的に水位を設定する場合は、水位検知装置２４で衣類量に応じた水位まで給水する際に、例えば衣類量が多いと検知した時は高水位Ａ１、中くらいの量であれば中水位Ａ２、少量の場合は低水位Ａ３まで給水するように制御する。
【００４０】
更に、すすぎ時の洗濯兼脱水槽１８の回転数の設定を、例えば衣類量が多いと検知した時は、例えばＢ１（約１７０〜１８０ｒ／ｍｉｎ）、中くらいの量であればＢ２（約１８０〜１９０ｒ／ｍｉｎ）、少量の場合はＢ３（約１９０〜２００ｒ／ｍｉｎ）の回転数に設定されるようにモータ９に流れる電流値を制御する。
【００４１】
また、水位検知装置２４は圧力センサー等で構成され、外槽２０下部と連通して、外槽２０内の水圧を電気信号に変換し、制御装置２５に予め設定した各水位設定値と比較し洗濯兼脱水槽１８内の洗濯水の水位検知を行い、洗濯時の所定水位Ａ１、Ａ２、Ａ３や、すすぎ時の循環水流の場合の低い水位Ｓ等の検知を行っている。
【００４２】
以上のように構成された制御において、以下図２、図３のフローチャートを参照しながら動作を説明する。
【００４３】
洗濯行程（３００）では、排水弁８は閉止状態で、洗濯兼脱水槽１８内部に衣類（洗濯物）を投入し（３０１）、電源スイッチをＯＮし（３０２）、スタートスイッチをＯＮ（３０３）すると、布量検知制御が動作し、モータに流れる電流値等の負荷から衣類の量を検知し記憶する（３０４）とともに、高水位Ａ１または中水位Ａ２または低水位Ａ３等の水位と、洗剤量の報知（３０５）し表示するので、使用者は表示に従って適切な洗剤量を洗濯兼脱水槽１８内部に投入する（３０６）。
【００４４】
一方、衣類の量を検知して水位、洗剤量の報知（３０５）し表示した後、３０秒経過後に給水弁１７は開かれて給水が開始し（３０７）、検知した水量Ａ１、またはＡ２またはＡ３まで給水し（３０８）、給水弁を閉じた後（３０９）、モータ９を駆動する（３１０）。
【００４５】
このとき、モータ９の動力を洗濯軸５ａを介してパルセータ６に伝達し、パルセータ６が回転することで、その撹拌力と水流力により衣類に付着した汚れを離脱させ、所定時間経つとモータ９をＯＦＦし（３１１、３１２）洗濯行程を終了する（３１３）。
【００４６】
洗濯行程が終了すると、図３の次のすすぎ行程（４００）では、排水弁８をＯＮして排水可能に開放する（４０１）と同時に、駆動機構部１１のクラッチ装置（図示せず）にて、脱水軸５の制動を解除しつつ脱水軸５を介して洗濯兼脱水槽１８が回転可能な状態にする（４０２）。
【００４７】
排水終了（４０３）後、モータ９をＯＮし（４０４）、洗濯兼脱水槽１８の回転を７００〜８００ｒ／ｍｉｎレベルまで立ち上げ、衣類を遠心力脱水し、衣類に残存した洗剤成分は洗濯液と同時に衣類より離脱させ、洗濯兼脱水槽１８の内部周壁に多数設けた小孔１８ａより洗濯兼脱水槽１８外に通過せしめ、排水口７から排水弁８を通過し機外へと排出させるいわゆる中間脱水を行う。
【００４８】
所定時間経過後（４０５）にモータ９をＯＦＦし（４０６）、洗濯兼脱水槽１８の回転を徐々に下げ駆動機構部１１内部のブレーキ装置（図示せず）にて、脱水軸５ａを制動し（４０７）洗濯兼脱水槽１８を一度停止させ排水弁８をＯＦＦ即ち外槽２０に水が溜め得る状態とする（４０８）。
【００４９】
再び駆動機構部１１内部のクラッチ切り換え装置（図示せず）を切り換え、脱水軸５ａの制動を解除しつつ脱水軸５ａを介して洗濯兼脱水槽１８が回転可能な状態にする（４０９）とともに、給水弁１７をＯＮして給水可能に開いて（４１０）パルセータ６外周近傍の低い所定水位Ｓまで給水（４１１、４１２）する。
【００５０】
その後、再度モータ９をＯＮ（４１３）させ、洗濯行程当初のステップ（３０４）で記憶したデータに基き、洗濯兼脱水槽１８の回転を衣類量が多いと検知した場合はＢ１（約１７０〜１８０ｒ／ｍｉｎ）、中くらいの量であればＢ２（約１８０〜１９０ｒ／ｍｉｎ）、少量の場合はＢ３（約１９０〜２００ｒ／ｍｉｎ）の回転数に所定時間（４１４、４１５）保持させる。
【００５１】
この時、外槽２０底部のすすぎ液は、裏羽根１９により円周方向に撹拌され、ポンプ作用にて下部流入口２２に流入し送水部２３を上昇し、上部流入口２８を通過して上部カバー吐出口２９より洗濯兼脱水槽１８上部から洗濯兼脱水槽１８内の衣類に循環水を散水する。
【００５２】
この循環水が、衣類に浸透し遠心力により通過し同時に衣類内部の洗剤成分を衣類から離脱させ、洗濯兼脱水槽１８の内部周壁に多数設けた小孔１８ａより洗濯兼脱水槽１８外に抜け外槽２０底部に落下し、再度裏羽根１９により掻き揚げられ下部流入口２２、送水部２３、上部流入口２８を順に通過して上部カバー吐出口２９より洗濯兼脱水槽１８上部から洗濯兼脱水槽１８内の衣類に散水する強制循環の動作を所定時間（４１４、４１５）の間繰り返すことで衣類全体に残存する洗剤成分を均一に希釈できる。
【００５３】
ここで、衣類量と循環水の洗濯兼脱水槽１８内部への散水状態を説明する。
【００５４】
図１のように衣類量が多い場合、洗濯兼脱水槽１８上部まで衣類が厚くドーナツ状にせり上がった分布の場合は、洗濯兼脱水槽１８の回転数をＢ１（約１７０〜１８０ｒ／ｍｉｎ）として、洗濯兼脱水槽１８の略中心部に循環すすぎ液が当たるように、即ち遠方まで飛ばないように洗濯兼脱水槽の回転数はやや低めに設定し、図５ように衣類量が少量では、洗濯兼脱水槽１８の底部側壁に薄くドーナツ状に分布の場合は、洗濯兼脱水槽１８の回転数をＢ３（約１９０〜２００ｒ／ｍｉｎ）として、洗濯兼脱水槽１８の下部の略側壁近傍に循環すすぎ液が当たるように洗濯兼脱水槽の回転数はやや高めに設定し、図４ように衣類量が中量では、洗濯兼脱水槽１８の約中間高さにドーナツ状に分布の場合は、洗濯兼脱水槽１８の回転数をＢ２（約１８０〜１９０ｒ／ｍｉｎ）として、布量多い時と少量時の中間に循環すすぎ液を散水できるよう洗濯兼脱水槽１８の回転数を中間設定する。
【００５５】
すなわち、衣類量が少ない場合は、衣類量が多い場合に対して衣類の含水量が少ないことと、衣類と上部カバー吐出口２９との距離が長いため、洗濯兼脱水槽１８の回転数を上げることで、衣類量に対応して設定を変える構成で、送水部２３を上昇し上部流入口２８を通過して上部カバー吐出口２９より散水されるすすぎ液は、到達位置が変わり的確に衣類に当てることが可能となる。
【００５６】
所定時間（４１４、４１５）後にモータ９をＯＦＦ（４１６）し、駆動機構部１１のブレーキ装置（図示せず）にて脱水軸５ａを制動し（４１７）洗濯兼脱水槽１８を停止させ、すすぎ行程（１）を終了する（４１８）。
【００５７】
すすぎ行程（１）が終了すると、次行程へ進み、洗濯兼脱水槽４内に水を溜めてすすぐ溜めすすぎ行程や、洗濯兼脱水槽４の回転を７００〜８００ｒ／ｍｉｎレベルまで立ち上げる高速遠心脱水による脱水行程に移行することで、洗い、すすぎ、脱水の一連の行程全体を終了する。
【００５８】
以上のように、すすぎ行程で、例えば衣類量８ｋｇ容量の場合、洗い行程の水位Ａ１で約６０〜７０リットル（Ｌ）水量、５ｋｇ容量で洗い行程の水位Ａ２で約５０〜６０（Ｌ）水量、２ｋｇ容量以下で洗い行程の水位Ａ３で約４０〜５０（Ｌ）水量に対し、すすぎ行程はパルセータ６外周近傍の低い水位Ｓで示した約１５〜２５リットル（Ｌ）水量を一旦溜め、洗濯兼脱水槽１８の回転を衣類量に応じてすすぎ液の到達位置が変わるよう制御し、すすぎ液を強制循環させることにより、衣類全体に散水、浸透、離脱、再度散水、浸透、離脱、のすすぎ作用を行い衣類全体に残存した洗剤成分の希釈効果を高めることができる。
【００５９】
また、少ない水量を溜めてすすぐことで、従来例のような給水弁１７の開放時間の制御で衣類に注水する方式と異なり、水道水圧が低く単位時間あたりの流量が少ない条件下の場合でも、給水される水量に変動が無くすすぎむらを防止でき、少ない使用水量で安定したすすぎ性能を確保できるものである。
【００６０】
（実施の形態２）
図６は、本発明の第２の実施の形態における洗濯機の衣類量が多い場合の側断面図を示すものである。図７は、同洗濯機の洗い行程およびすすぎ行程のフローチャートを示す。
【００６１】
また、図８は、同洗濯機の衣類量が中量の場合の側断面図、図９は、同洗濯機の衣類量が少量の場合の側断面図を示す。なお、実施の形態１と同一構成については、同一符号を付し説明を省略する。
【００６２】
図６において、制御装置２５は、洗濯行程開始前（水や洗剤を投入前）にユーザーが個別に水位の設定を複数段階のいずれかを設定し、例えば図６のＤ１，Ｄ２、Ｄ３の３段階のいずれかの水位に設定し、洗濯兼脱水槽１８内部に衣類を投入後、洗濯行程を開始させた場合、所定水位に到達した状態で制御装置はモータ９を微小時間駆動し、モータ９に流れる電流値等の負荷から衣類量を検知して記憶しておき、次行程の所定のすすぎ行程の洗濯兼脱水槽１８回転数を設定する制御を行う構成である。
【００６３】
ここで、表２は、布量検知した衣類量に対する洗濯兼脱水槽の回転数の設定一覧表であり、この表２に示すようにすすぎ行程での洗濯兼脱水槽１８の回転数は、複数段階に設定し、例えば衣類量が多いと検知した時はＣ１（約１７０〜１８０ｒ／ｍｉｎ）、中くらいの量であればＣ２（約１８０〜１９０ｒ／ｍｉｎ）、少量の場合はＣ３（約１９０〜２００ｒ／ｍｉｎ）の回転数に設定されるようにモータ９に流れる電流値を制御する。
【００６４】
【表２】
2010166992.tif 000004
【００６５】
図７のフローチャートにおいて、洗濯行程（５００）では、排水弁８は閉止状態で、洗濯兼脱水槽１８内部に衣類（洗濯物）を投入し（５０１）、電源スイッチをＯＮし（５０２）、水位を個別にＤ１（またはＤ２、Ｄ３）に選んで設定し（５０３）、使用者は洗剤量報知（７０４）に従って適切な洗剤量を洗濯兼脱水槽１８内部に投入し、スタートスイッチをＯＮ（５０５）すると、給水弁１７は開かれて給水が開始し（５０６）、先に個別に設定した水量Ｄ１、またはＤ２またはＤ３まで給水し（５０７）、給水弁を閉じた後（５０８）、モータ９を駆動させ（５０９）、同時に初期に布量検知制御が動作し（７１０）、モータに流れる電流値等の負荷から衣類の量を検知して、次行程の衣類量に応じたすすぎ行程での洗濯兼脱水槽１８の回転数が設定されるよう前以って制御装置に記憶しておき（７０５）、以降、モータ９の回転による洗濯作業に移行する。
【００６６】
次行程のすすぎ行程がスタート（７１１）し、中間脱水（７１２）の後、すすぎ用の水を給水し（７１３）パルセータ６外周近傍の低い所定水位Ｓまで給水（７１４、７１５）する。
【００６７】
以降は、実施の形態１と同様に、図６、８および９に示すように、再度モータをＯＮ（７１６）させ、ステップ（７０５）で記憶したデータに基き、洗濯兼脱水槽１８の回転を衣類量が多いと検知した場合はＣ１（約１７０〜１８０ｒ／ｍｉｎ）のやや低い回転数で、中くらいの量であればＣ２（約１８０〜１９０ｒ／ｍｉｎ）で、少量の場合はＣ３（約１９０〜２００ｒ／ｍｉｎ）のやや高い回転数に所定時間（７１７、７１８）保持させ、衣類量と其の分布状態に適応した強制循環水の注水パターンによりすすぎ行程を実施する。
【００６８】
以上のように、個別に水位設定され水量が少ない、すなわち水位が低い場合でも衣類量が多いと検知された場合は、洗濯兼脱水槽１８の回転数を低めのＣ１（約１７０〜１８０ｒ／ｍｉｎ）に制御して図６の注水状態になるよう、即ち遠方まで飛ばないように洗濯兼脱水槽の回転数はやや低めに設定し中央部に落下するようにした。
【００６９】
以上のように、洗濯する衣類の量に応じて、すすぎ液の到達位置が変わるよう制御し、強制循環させるすすぎ液を的確にすすぎ液を衣類に当てて浸透させるので、衣類量に関係なく安定したすすぎ効果が得られるものである。
【００７０】
以上のように、本発明にかかる洗濯機は、水道水圧が低い使用条件下であっても、また衣類量に関係なくすすぎむらを防止でき、かつ少ない使用水量で安定したすすぎ性能を確保できるので、大容量（例えば８ｋｇ以上）の使用水量が比較的多いタイプの洗濯機の節水手段として有用である。
【００７１】
また、使用者の水位の自動設定時、個別設定時どちらでも洗濯衣類の量に応じたすすぎ液の到達位置が変わるよう制御し、強制循環させるすすぎ液を的確にすすぎ液を衣類に当てて浸透させるので、無駄な水を削減し、すすぎ効果の更なる安定化を図ることが可能となる。
【図面の簡単な説明】
【００７２】
【図１】本発明の実施の形態１における洗濯機の衣類量が多い場合の側断面図
【図２】同洗濯機の洗い行程のフローチャート
【図３】同洗濯機のすすぎ行程のフローチャート
【図４】同洗濯機の衣類量が中量の場合の側断面図
【図５】同洗濯機の衣類量が少量の場合の側断面図
【図６】本発明の実施の形態２における洗濯機の衣類量が多い場合の側断面図
【図７】同洗濯機の洗いおよびすすぎ行程のフローチャート
【図８】同洗濯機の衣類量が中量の場合の側断面図
【図９】同洗濯機の衣類量が少量の場合の側断面図
【図１０】従来の洗濯機の側断面図
【図１１】同洗濯機の洗い行程のフローチャート
【図１２】同洗濯機のすすぎ行程のフローチャート
【符号の説明】
【００７３】
６    パルセータ
７    排水口
８    排水弁
９    モータ
１１  駆動機構部（駆動機構手段）
１７  給水弁
１８  洗濯兼脱水槽
１９  裏羽根
２０  外槽
２２  下部流入口
２３  送水部
２４  水位検知装置
２５  制御装置
２６  上部カバー
２８  上部流入口
２９  上部カバー吐出口
【図１】
2010166992.tif 000005
【図２】
2010166992.tif 000006
【図３】
2010166992.tif 000007
【図４】
2010166992.tif 000008
【図５】
2010166992.tif 000009
【図６】
2010166992.tif 000010
【図７】
2010166992.tif 000011
【図８】
2010166992.tif 000012
【図９】
2010166992.tif 000013
【図１０】
2010166992.tif 000014
【図１１】
2010166992.tif 000015
【図１２】
2010166992.tif 000016